(57)【要約】【課題】中継を要求する装置における中継の必要性に応じて中継を実行する技術を提供する。【解決手段】第１通信部３０は、近距離無線通信を実行する。第２通信部３２は、第１通信部３０が通信可能な範囲よりも広範囲な遠距離無線通信を実行する。判定部５０は、第１通信部３０が中継要求装置からの中継要求を受信した場合に、中継要求装置の状態を示す状態情報をもとに中継の可否を判定する。状態情報は複数の項目を含み、判定部５０は、状態情報と、複数の項目ごとに定められた条件とを用いて、中継の可否を判定する。中継処理部５２は、判定部５０において中継可と判定した場合に、中継要求装置に対して、第１通信部３０と第２通信部３２との間でデータを中継する。【選択図】図２
2020108065.tif 000002
【特許請求の範囲】
【請求項１】
近距離無線通信を実行する第１通信部と、
前記第１通信部が通信可能な範囲よりも広範囲な遠距離無線通信を実行する第２通信部と、
前記第１通信部が中継要求装置からの中継要求を受信した場合に、前記中継要求装置の状態を示す状態情報をもとに中継の可否を判定する判定部と、
前記判定部において中継可と判定した場合に、前記中継要求装置に対して、前記第１通信部と前記第２通信部との間でデータを中継する中継処理部と、
を備え、
前記状態情報は複数の項目を含み、
前記判定部は、前記状態情報と、前記複数の項目ごとに定められた条件とを用いて、中継の可否を判定する、
ことを特徴とする中継装置。
【請求項２】
前記判定部は、前記状態情報の複数の項目のうち、条件を満たす項目の数に基づいて指標を算出し、前記指標が所定値以上である場合に、中継可と判定する、
ことを特徴とする請求項１に記載の中継装置。
【請求項３】
前記判定部は、前記状態情報の複数の項目のうち、条件を満たす項目に対応する係数を加算した値に基づいて指標を算出し、前記指標が所定値以上である場合に、中継可と判定する、
ことを特徴とする請求項１に記載の中継装置。
【請求項４】
前記判定部は、本中継装置の状態をもとに、中継の可否を判定するための判定条件を調節する、
ことを特徴とする請求項１から３のいずれか１項に記載の中継装置。
【請求項５】
前記判定部は、前記状態情報に含まれる複数の項目ごとに定められた優先度を用い、条件を満たす項目の優先度が高いほど、中継可を示す情報を中継要求装置に対して送信するまでの期間を短くするように前記第１通信部を制御する、
ことを特徴とする請求項１から４のいずれか１項に記載の中継装置。
【請求項６】
前記判定部は、前記状態情報に含まれる複数の項目ごとに定められた優先度を用い、条件を満たす項目の優先度が高いほど、中継のためのリソースを増加させる、
ことを特徴とする請求項１から５のいずれか１項に記載の中継装置。
【請求項７】
前記状態情報は、前記中継要求装置の緊急状態を示す情報、前記中継要求装置の遠距離無線通信に係る故障状態を示す情報、前記中継要求装置を使用するユーザの種別、前記中継要求装置が検出した中継装置の数、前記中継要求装置のバッテリ残量、前記中継要求装置の遠距離無線通信に係るエラーに関する情報、前記中継要求装置の遠距離無線通信に係る信号強度に関する情報、のうちの少なくとも２つの項目を含む、
ことを特徴とする請求項１から６のいずれか１項に記載の中継装置。
【請求項８】
近距離無線通信によって、中継要求装置からの中継要求を受信した場合に、前記中継要求装置の状態を示す状態情報をもとに中継の可否を判定するステップと、
中継可と判定した場合に、前記中継要求装置に対して、近距離無線通信と、近距離無線通信において通信可能な範囲よりも広範囲な遠距離無線通信との間でデータを中継するステップと、
を備え、
前記状態情報は複数の項目を含み、
前記判定するステップは、前記状態情報と、前記複数の項目ごとに定められた条件とを用いて、中継の可否を判定する、
ことを特徴とする中継方法。
【請求項９】
近距離無線通信によって、中継要求装置からの中継要求を受信した場合に、前記中継要求装置の状態を示す状態情報をもとに中継の可否を判定するステップと、
中継可と判定した場合に、前記中継要求装置に対して、近距離無線通信と、近距離無線通信において通信可能な範囲よりも広範囲な遠距離無線通信との間でデータを中継するステップと、
を備え、
前記状態情報は複数の項目を含み、
前記判定するステップは、前記状態情報と、前記複数の項目ごとに定められた条件とを用いて、中継の可否を判定する、
ことをコンピュータに実行させるためのプログラム。
【発明の詳細な説明】
【技術分野】
【０００１】
本発明は、中継技術に関し、特に異なった無線通信方式間でデータを中継する中継装置、中継方法、プログラムに関する。
【背景技術】
【０００２】
端末装置では、送信装置から近距離無線通信を介してデータを受信し、そのデータを広域無線通信を介して収集装置へ送信することがある。この端末装置は、電池残量が少ない場合、あるいはこれまでの中継回数が多い場合、あるいは前回のデータを中継してからの経過時間が短い場合、中継要求を受けつけない。これにより、端末装置の電池切れが防止される（例えば、特許文献１参照）。
【先行技術文献】
【特許文献】
【０００３】
【特許文献１】特開２０１４−２３５４４７号公報
【発明の概要】
【発明が解決しようとする課題】
【０００４】
バッテリで駆動する端末装置の電池残量あるいは処理能力には限りがあり、無制限に中継要求を受けつけることはできないので、何らかの条件で中継の可否を判定することは合理的である。その際、中継処理を実行する端末装置（以下、「中継装置」という）の状態のみが考慮されており、中継を要求する端末装置（以下、「中継要求装置」という）の状態は、中継可否を判定するために考慮されていない。例えば、中継要求装置の電池残量が少ない場合には、その情報を他の装置に伝える必要があり、中継の必要性が通常よりも高くなるが、そのような状態は考慮されていない。また、中継要求装置の使用するユーザに事故等の緊急事態が発生した場合に、その情報をいち早く伝える必要があるが、そのような状況も考慮されていない。
【０００５】
本発明はこうした状況に鑑みてなされたものであり、その目的は、中継を要求する装置における中継の必要性に応じて中継を実行する技術を提供することである。
【課題を解決するための手段】
【０００６】
上記課題を解決するために、本発明のある態様の中継装置は、近距離無線通信を実行する第１通信部と、第１通信部が通信可能な範囲よりも広範囲な遠距離無線通信を実行する第２通信部と、第１通信部が中継要求装置からの中継要求を受信した場合に、中継要求装置の状態を示す状態情報をもとに中継の可否を判定する判定部と、判定部において中継可と判定した場合に、中継要求装置に対して、第１通信部と第２通信部との間でデータを中継する中継処理部と、を備える。状態情報は複数の項目を含む。判定部は、状態情報と、複数の項目ごとに定められた条件とを用いて、中継の可否を判定する。
【０００７】
本発明の別の態様は、中継方法である。この方法は、近距離無線通信によって、中継要求装置からの中継要求を受信した場合に、中継要求装置の状態を示す状態情報をもとに中継の可否を判定するステップと、中継可と判定した場合に、中継要求装置に対して、近距離無線通信と、近距離無線通信において通信可能な範囲よりも広範囲な遠距離無線通信との間でデータを中継するステップと、を備える。状態情報は複数の項目を含む。判定するステップは、状態情報と、複数の項目ごとに定められた条件とを用いて、中継の可否を判定する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、中継を要求する装置における中継の必要性に応じて中継を実行できる。
【図面の簡単な説明】
【００１０】
【図１】実施例１に係る通信システムの構成を示す図である。
【図２】端末装置の構成を示す図である。
【図３】第１端末装置と第２端末装置との中継手順を示すシーケンス図である。
【図４】図４（ａ）−（ｃ）は、第１端末装置から送信される信号のフォーマットを示す図である。
【図５】第２端末装置から送信される信号のフォーマットを示す図である。
【図６】判定部における判定手順を示すフローチャートである。
【図７】通信システムによる中継手順を示すシーケンス図である。
【図８】実施例１の変形例による判定手順を示すフローチャートである。
【図９】実施例２による判定手順を示すフローチャートである。
【発明を実施するための形態】
【００１１】
（実施例１）
本発明を具体的に説明する前に、まず概要を述べる。本発明の実施例は、基地局装置と複数の端末装置を含む通信システムに関する。端末装置は、Ｂｌｕｅｔｏｏｔｈ（登録商標）、ＢＬＥ（Ｂｌｕｅｔｏｏｔｈ  Ｌｏｗ  Ｅｎｅｒｇｙ）等の近距離無線通信機能と、業務用無線あるいは携帯電話網などの遠距離無線通信機能とを備える。端末装置は、基地局装置に接続されて、遠距離無線通信により通信を実行する。また、複数の端末装置のうちの１つが中継装置になり、別の１つが中継要求装置になることがある。その際、中継要求装置と中継装置との間で近距離無線通信による通信がなされ、中継装置と基地局装置との間で遠距離無線通信による通信がなされることによって、中継要求装置は、中継装置を介して基地局装置との通信を実行する。中継装置は、中継要求装置からの中継要求を受信した場合、中継要求装置の状態（電池残量、ＲＳＳＩ、エマージェンシーモード等）に応じて中継の可否を判定し、中継可を判定した場合にのみ中継処理を実行する。
【００１２】
図１は、通信システム１００の構成を示す。通信システム１００は、基地局装置１０、端末装置１２と総称される第１端末装置１２ａ、第２端末装置１２ｂを含む。説明を簡潔にするため、本図では、基地局装置１０の数を「１」、端末装置１２の数を「２」にしているが、基地局装置１０の数は「１」に限定されず、端末装置１２の数は「２」に限定されない。基地局装置１０は、遠距離無線通信を実行する。前述のごとく、遠距離無線通信は、例えば、業務用無線、携帯電話網などである。また、業務用無線は、例えば、デジタル業務用無線である。端末装置１２は、遠距離無線通信を実行可能であるとともに、近距離無線通信を実行可能である。前述のごとく、近距離無線通信は、例えば、Ｂｌｕｅｔｏｏｔｈ（登録商標）、ＢＬＥ、無線ＬＡＮ（Ｌｏｃａｌ  Ａｒｅａ  Ｎｅｔｗｏｒｋ）等である。
【００１３】
ここで、第１端末装置１２ａは、基地局装置１０に接続し、基地局装置１０との間で遠距離無線通信を実行する。第１端末装置１２ａは、ＰＴＴ（Ｐｕｓｈ−Ｔｏ−Ｔａｌｋ）に対応しており、ＰＴＴボタンが押し下げられることによって、音声信号が含まれた発呼信号を基地局装置１０に送信する。基地局装置１０に送信された発呼信号は、第１端末装置１２ａ以外の端末装置１２に受信される。一方、第１端末装置１２ａは、ＰＴＴボタンが押し下げられていない期間において、基地局装置１０からの発呼信号であって、第１端末装置１２ａ以外の端末装置１２から送信された発呼信号を受信する。第１端末装置１２ａは、発呼信号に含まれた音声信号を再生する。前者が発話者によって使用される場合に相当し、後者が受話者によって使用される場合に相当する。一方、第１端末装置１２ａは、近距離無線通信によりＢＬＥパケット信号を定期的に報知する。第１端末装置１２ａからのＢＬＥパケット信号を受信可能な範囲が近距離無線通信エリア２０として示される。例えば、近距離無線通信エリア２０は、第１端末装置１２ａを中心とした円形状を有する。
【００１４】
また、第２端末装置１２ｂは、近距離無線通信エリア２０内の位置に存在する。例えば、第２端末装置１２ｂが、基地局装置１０との間で良好な状態で遠距離無線通信を行うことが難しい状況であっても、近距離無線通信により第１端末装置１２ａからのＢＬＥパケット信号を受信可能である。第２端末装置１２ｂは、ＢＬＥパケット信号を受信することによって、基地局装置１０と通信している第１端末装置１２ａの存在を認識する。このような状況において、第２端末装置１２ｂは、近距離無線通信により中継要求を第１端末装置１２ａに送信する。第１端末装置１２ａは、中継要求を受信すると、第２端末装置１２ｂに対する中継の可否を判定する。判定処理については、後述する。第１端末装置１２ａは、中継可を判定した場合、近距離無線通信により第２端末装置１２ｂに中継許可を送信する。
【００１５】
第２端末装置１２ｂは、中継許可を受信した場合、ＰＴＴボタンが押し下げられると、近距離無線通信により発呼信号を第１端末装置１２ａに送信する。第１端末装置１２ａは、第２端末装置１２ｂからの発呼信号を遠距離無線通信により基地局装置１０に送信する。一方、第２端末装置１２ｂのＰＴＴボタンが押し下げられていない期間において、基地局装置１０からの信号は、遠距離無線通信により第１端末装置１２ａに送信される。第１端末装置１２ａは、基地局装置１０から受信した信号を近距離無線通信により第２端末装置１２ｂに送信する。第２端末装置１２ｂは、第１端末装置１２ａから送信された信号（中継信号）を受信する。第２端末装置１２ｂは、中継信号に含まれた音声信号を再生する。このように、第１端末装置１２ａは、近距離無線通信と遠距離無線通信との間で中継処理を実行することによって、第２端末装置１２ｂは、第１端末装置１２ａを介して基地局装置１０との間で通信を実行する。ここで、第１端末装置１２ａが「中継装置」に相当し、第２端末装置１２ｂが「中継要求装置」に相当する。
【００１６】
図２は、端末装置１２の構成を示す。端末装置１２は、第１通信部３０、第２通信部３２、制御部３４、記憶部３６、操作部３８、表示部４０、マイク４２、スピーカ４４を含み、制御部３４は、判定部５０、中継処理部５２を含む。第１通信部３０は、近距離無線通信を実行する。第２通信部３２は、遠距離無線通信を実行する。ここで、遠距離無線通信の通信可能な範囲は、近距離無線通信の通信可能な範囲よりも広い。近距離無線通信および遠距離無線通信には公知の技術が使用されればよい。また、第２通信部３２は無線通信に限らず有線通信を実行してもよい。
【００１７】
操作部３８は、例えばＰＴＴボタン等の操作ボタンを含む。ＰＴＴボタンは、本端末装置１２が発話者によって使用される場合に発呼信号を送信するために押し下げられる。一方、ＰＴＴボタンは、本端末装置１２が受話者によって使用される場合に発呼信号を送信しないために押し下げられない。あるいは、操作部３８はタッチパネル等であってもよく、操作部３８が物理的な操作ボタンを含まなくてもよい。表示部４０は、端末装置１２の状態、通信状況などを表示する。表示部４０は、例えば、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）である。
【００１８】
マイク４２は、発話者によって発せられる音声を受けつける。マイク４２は、音声を電気信号に変換し、電気信号の音声（以下、これもまた「音声」という）を制御部３４に出力する。制御部３４は音声を再生してスピーカ４４に出力する。スピーカ４４は、外部に音声を出力する。制御部３４は、操作部３８からの入力等を契機に通信を行うために、第１通信部３０および第２通信部３２を制御する。制御部３４における制御については後述する。記憶部３６は、第２通信部３２において接続している基地局装置１０に関する情報、他の端末装置１２から受信した中継案内ビーコン信号の内容、中継要求情報などを記憶する。
【００１９】
端末装置１２が図１の第１端末装置１２ａのように、基地局装置１０との間で遠距離無線通信を実行可能である場合、制御部３４は、ＰＴＴボタンの押し下げ等の操作部３８の所定の状態を検出する。制御部３４が操作部３８の所定の状態を検出している場合、制御部３４は、マイク４２から音声を受けつける。制御部３４は、音声に対して符号化等の処理を実行することによって音声信号を生成する。第２通信部３２は、制御部３４において生成された音声信号が含まれた発呼信号を生成する。発呼信号には、発呼信号の送信元である端末装置１２のＩＤと、発呼信号の宛先である端末装置１２のＩＤも含まれる。グループ通信である場合、発呼信号の宛先である端末装置１２のＩＤの代わりに、発呼信号の宛先であるグループのＩＤが含まれてもよい。第２通信部３２は、基地局装置１０に発呼信号を送信する。
【００２０】
制御部３４が操作部３８の所定の状態を検出してない場合、第２通信部３２は、他の端末装置１２からの発呼信号を基地局装置１０から受信する。当該発呼信号は、他の端末装置１２から送信され、基地局装置１０を経由して端末装置１０に到達する。第２通信部３２は、発呼信号から音声信号を抽出するとともに、宛先となる端末装置１２のＩＤを抽出する。第２通信部３２は、抽出したＩＤが自装置のＩＤである場合、音声信号を制御部３４に出力する。制御部３４は、音声信号に対して復号等の処理を実行することによって、音声を取得する。制御部３４は、取得した音声をスピーカ４４に出力する。
【００２１】
前述のごとく、第１端末装置１２ａは中継装置に相当し、第２端末装置１２ｂは中継要求装置に相当する。このような第１端末装置１２ａと第２端末装置１２ｂとによる中継処理は図３のように示される。図３は、第１端末装置１２ａと第２端末装置１２ｂとの中継手順を示すシーケンス図である。第１端末装置１２ａは、中継案内用ビーコンを報知する（Ｓ１０）。第２端末装置１２ｂは、第１端末装置１２ａに中継要求を送信する（Ｓ１２）。第１端末装置１２ａは、中継可否の判定処理を行い、中継可と判定した場合には第２端末装置１２ｂに中継許可を送信する（Ｓ１４）。これらの処理に続いて、第１端末装置１２ａと第２端末装置１２ｂは、中継処理を実行する（Ｓ１６）。なお、説明を簡潔にするため、本図においては、Ｓ１４において中継許可を送信する場合を示しているが、中継拒否（中継不許可）を送信する場合もある。その場合は、Ｓ１６の中継処理は実行されない。以下では、この手順を、（ｉ）中継装置の動作、（ｉｉ）中継要求装置の動作、（ｉｉｉ）中継可否の判定処理、（ｉｖ）中継処理の順に説明する。
【００２２】
（ｉ）中継装置の動作
中継装置の第１通信部３０は、近距離無線通信により、第２通信部３２において接続している基地局装置１０に関する情報、その時点での中継可否を示すビジーフラグを含む中継案内ビーコン信号を周囲に報知する。基地局装置１０に関する情報は、例えば、基地局（システム）コード、チャネル番号、ＲＳＳＩ（Ｒｅｃｅｉｖｅ  Ｓｉｇｎａｌ  Ｓｔｒｅｎｇｔｈ  Ｉｎｄｉｃａｔｏｒ）である。
【００２３】
図４（ａ）−（ｃ）は、第１端末装置１２ａから送信される信号のフォーマットを示す。図４（ａ）は、ＢＬＥパケット信号のフォーマットを示す。ＢＬＥは、プリアンブル、アクセスアドレス、プロトコルデータユニット、ＣＲＣを順に配置する。図４（ｂ）は、プロトコルデータユニットに格納されるアドバタイジングＰＤＵのフォーマットを示す。アドバタイジングＰＤＵは、ヘッダ、中継装置アドレス、中継装置データを順に配置する。図４（ｃ）は、中継装置データに格納される中継案内ビーコンのフォーマットを示す。中継案内ビーコンは、ビジーフラグ、システムコード、論理ＣＨ番号、ＲＳＳＩ、ＢＥＲ（Ｂｉｔ  Ｅｒｒｏｒ  Ｒａｔｅ）を順に配置する。
【００２４】
ビジーフラグは、ビジーフラグであり、ビジー状態（例えば「１」）とアイドル状態（例えば「０」）の２種類の状態をとる。ビジーフラグは、「中継ステータス」とも称される。ビジー状態は、中継装置の処理能力に余裕がなく、新たな中継要求を受けつけられないことを示し、アイドル状態は、新たな中継要求を受付可能なことを示す。例えば、中継装置が自身の遠距離無線通信と他の端末装置１２の中継処理を同時に実行できない場合には、中継装置自身が遠距離無線通信を実行中にビジー状態になる。また、ビジーフラグが２種類以上の値をとるようにしてもよい。例えば、中継処理の空き（余裕）を０〜１００％の数値で示すようにしてもよい。この場合は「０％」が完全なビジー状態に相当する。また、ＲＳＳＩ、ＢＥＲは、どの程度の信号品質で基地局装置１０と接続しているかを示す。図２に戻る。
【００２５】
（ｉｉ）中継要求装置の動作
中継要求装置の第１通信部３０は、近距離無線通信により中継装置からのＢＬＥパケットを受信する。第１通信部３０は、ＢＬＥパケットを制御部３４に出力する。制御部３４は、ＢＬＥパケットに含まれた中継案内ビーコンをもとに、近隣に中継装置が存在するかを確認する。制御部３４は、中継装置が存在する場合、当該中継装置に対する中継要求を第１通信部３０に出力する。複数の中継装置が存在する場合、制御部３４は、中継案内ビーコンに含まれる情報から条件のよい方の中継装置を選択してもよい。例えば、制御部３４は、中継案内ビーコンに含まれるＲＳＳＩ、ＢＥＲから信号品質のよい中継装置を選択してもよい。また、制御部３４は、ビジーフラグがアイドル状態の中継装置、中継処理の空きの多い中継装置を選択してもよい。第１通信部３０は、近距離無線通信により中継装置に中継要求を送信する。
【００２６】
図５は、第２端末装置１２ｂから送信される信号のフォーマットを示す。これは、中継要求を示し、中継要求は、緊急状態、遠距離無線通信部の故障状態、ユーザランク情報、バッテリ残量、ＲＳＳＩ情報、遠距離無線通信のエラー回数／エラー頻度を順に配置する。これらについては、後述する。
【００２７】
（ｉｉｉ）中継可否の判定処理
中継装置の第１通信部３０は、近距離無線通信により、中継要求装置からの中継要求を受信する。第１通信部３０は、中継要求を制御部３４に出力する。判定部５０は、中継要求装置からの中継要求を受けつけた場合に、中継要求に含まれた情報、つまり中継要求装置の状態を示す状態情報をもとに中継の可否を判定する。図５に示されるように、状態情報は、中継要求装置の緊急状態を示す情報、中継要求装置を使用するユーザの種別、中継要求装置が検出した中継装置の数、中継要求装置のバッテリ残量等の複数の項目を含む。ここで、状態情報は、これらのうちの少なくとも２つの項目を含んでいればよい。判定部５０は、状態情報と、複数の項目ごとに定められた条件とを用いて、中継の可否を判定する。
【００２８】
判定部５０では、複数の項目のそれぞれに付与された番号（条件番号）が小さい条件に該当するほど、中継の必要性が高いとされる。
（条件番号１）緊急状態とその要因
緊急状態とは、中継要求装置を使用するユーザが危険な状況にあることを示す情報である。判定部５０は、中継の必要性（優先度）が最も高いので、中継を許可する。また、判定部５０は、緊急状態になった要因を考慮して、中継の必要性を判定してもよい。具体的には、ユーザが能動的に操作部３８を操作して（例えば、緊急ボタンを押す等の操作をして）緊急状態になる場合と、中継要求装置が内蔵するセンサ（図示せず）によって中継要求装置（ユーザ）が倒れたことを検出（Ｍａｎ−ｄｏｗｎ検出）することにより自動的に緊急状態になる場合の２種類の要因がある。ここで、後者の方がより緊急度が高いといえる。このため、判定部５０は、Ｍａｎ−ｄｏｗｎによる緊急状態の場合に、中継の優先度を１位とし、操作部３８の所定の操作によるエマージェンシー操作の場合に、中継の優先度を２位としてもよい。
【００２９】
（条件番号２）遠距離無線通信部の故障状態
図５に示す状態情報に含まれる遠距離無線通信部の故障状態は、中継要求装置の第２通信部３２の故障状態である。例えば、第２通信部３２に含まれる遠距離無線通信用ＲＦ回路の故障を示す情報である。第２通信部３２が故障している場合、中継要求装置には代替通信手段がないので、判定部５０は中継を許可する。
（条件番号３）端末ユーザのランク
判定部５０は、中継要求装置を使用するユーザが所定の条件を満たす場合に、中継を許可する。所定の条件とは、例えば、そのユーザが監督者、社長など高位の人である場合である。つまり、判定部５０は、ユーザが所定の基準よりも高ランクである場合に、中継を許可する。このようなランクは中継要求装置に対して付与される。
【００３０】
（条件番号４）検出した中継装置の台数
判定部５０は、中継要求装置が中継を要求可能な中継装置の台数が所定値以下である場合に、中継を許可する。ここで、所定値を「１」としてもよい。中継要求装置は、検出した中継案内ビーコンの数、ここではビジーフラグがアイドル状態であるビーコンの数を依頼可能な端末数の初期値とする。例えば、中継要求装置が、ビジーフラグがアイドル状態である３つのビーコン（端末Ａ、端末Ｂ、端末Ｃのビーコン）を検出した場合、依頼可能な端末の台数の初期値は「３」になる。中継要求装置がある端末（例えば端末Ａ）に中継を要求し、拒否された場合には、依頼可能な端末の台数を１つ減らして「２」にし、別の端末（例えば端末Ｂ）に中継を要求する。その端末に拒否された場合には、依頼可能な端末の台数を１つ減らして「１」にし、さらに別の端末（例えば端末Ｃ）に中継を要求する。なお、依頼可能な端末の全てに拒否された場合、中継要求装置は新たなビーコンを検出するまで待機する。新たなビーコンを検出し、その端末に中継を要求する場合、過去の要求時（直近の所定期間）に拒否された端末の台数をさらに通知してもよい。例えば、直近の所定期間（例えば３０分間）に３回拒否された場合には、拒否された回数「３」を中継装置に通知する。中継装置は、拒絶回数が多い中継要求装置ほど優先的に中継を許可してもよい。
【００３１】
（条件番号５）バッテリ残量
図５に示す状態情報に含まれるバッテリ残量は、中継要求装置のバッテリ残量である。判定部５０は、中継要求装置のバッテリ残量が所定値以下である場合に、中継を許可する。バッテリ残量を示す尺度としては、種々の尺度を用いることができる。例えば、フル充電の何％の残量であるか、遠距離無線通信を何分実行できるか、などである。近距離無線通信は、遠距離無線通信よりも消費電力が少ないので、中継を許可することにより、中継要求装置の通信可能な時間を延ばすことができる。また、判定部５０は、中継装置のバッテリ残量が中継要求装置のバッテリ残量よりも多い場合に、中継を許可してもよい。
【００３２】
（条件番号６）遠距離無線通信のエラー回数／エラー頻度
図５に示す状態情報に含まれる遠距離無線通信のエラー回数／エラー頻度は、中継要求装置の第２通信部３２で検出されたエラー情報である。送信エラー回数／エラー頻度が高い場合、中継要求装置は、基地局装置１０に接続可能であったとしても、データ通信の品質は低くなる。つまり、データ転送レートが低くなったり、データ転送に多くの時間が必要になったりする。そのため、判定部５０は、中継要求装置の遠距離無線通信のエラー回数／エラー頻度が所定値以上である場合に、中継を許可する。中継装置の位置は中継要求装置の位置と異なっており、さらに中継装置の送信パワーが中継要求装置の送信パワーよりも大きい場合もあるので、中継により遠距離無線通信の品質が改善する可能性がある。また、判定部５０は、中継装置の遠距離無線通信のエラー回数／エラー頻度が、中継要求装置の遠距離無線通信のエラー回数／エラー頻度よりも少ない場合に、中継を許可してもよい。このような処理にすれば、中継により遠距離無線通信の状況が確実に改善する。
【００３３】
（条件番号７）ＲＳＳＩ
図５に示す状態情報に含まれるＲＳＳＩは、中継要求装置の第２通信部３２で測定されたＲＳＳＩである。つまり、中継要求装置で測定された遠距離無線通信の信号強度であり、中継要求装置と基地局装置１０との間のリンク状態の良し悪しを示す指標である。ＲＳＳＩの値が大きい場合は、中継要求装置と基地局装置１０との間の品質がよいことを示す。ＲＳＳＩの値が小さい場合は、中継要求装置と基地局装置１０との間の品質が悪いので、判定部５０は、ＲＳＳＩが所定値以下である場合に、中継を許可する。また、判定部５０は、中継装置のＲＳＳＩが中継要求装置のＲＳＳＩよりも大きい場合に、中継を許可してもよい。
なお、（条件番号２）、（条件番号６）、（条件番号７）をまとめて、中継要求装置において遠距離無線通信を実行する困難さを示す情報、あるいは遠距離無線通信を実行する容易さを示す情報、あるいは遠距離無線通信に関する能力を示す情報であるといえる。
【００３４】
図６は、判定部５０における判定手順を示すフローチャートである。緊急状態であれば（Ｓ１００のＹ）、判定部５０は中継可と判定する（Ｓ１１４）。緊急状態でない場合（Ｓ１００のＮ）、遠距離無線通信部の故障があれば（Ｓ１０２のＹ）、判定部５０は中継可と判定する（Ｓ１１４）。遠距離無線通信部の故障がない場合（Ｓ１０２のＮ）、ユーザのランクが所定条件を満たす場合（Ｓ１０４のＹ）、判定部５０は中継可と判定する（Ｓ１１４）。ユーザのランクが所定条件を満たさない場合（Ｓ１０４のＮ）、検出した中継端末の数が所定値以下であれば（Ｓ１０６のＹ）、判定部５０は中継可と判定する（Ｓ１１４）。他の中継装置がある場合（Ｓ１０６のＮ）、バッテリ残量が所定値以下であれば（Ｓ１０８のＹ）、判定部５０は中継可と判定する（Ｓ１１４）。バッテリ残量が所定値より多い（大きい）場合（Ｓ１０８のＮ）、遠距離無線通信のエラー回数／エラー頻度が所定値以上であれば（Ｓ１１０のＹ）、判定部５０は中継可と判定する（Ｓ１１４）。遠距離無線通信のエラー回数／エラー頻度が所定値未満である場合（Ｓ１１０のＮ）、ＲＳＳＩが所定値以下であれば（Ｓ１１２のＹ）、判定部５０は中継可と判定する（Ｓ１１４）。ＲＳＳＩが所定値より大きい場合（Ｓ１１２のＮ）、判定部５０は中継不可と判定する（Ｓ１１６）。なお、上記の各ステップにおける「所定値」は、同じ値である必要はなく、それぞれ異なった値であってよい。
【００３５】
この手順で、判定部５０が中継可と判定した場合、中継装置の第１通信部３０は、中継要求装置に中継許可を送信する。中継許可は、接続確認メッセージ（ＯＫ）ともいえる。このメッセージを受信した第２端末装置１２ｂは第１端末装置１２ａとの接続を確立し、通話を中継してもらえる状態になる。一方、判定部５０が中継不可と判定した場合、中継装置の第１通信部３０は、中継要求装置に中継拒否（中継不許可）を送信する。中継拒否は、接続確認メッセージ（ＮＧ）ともいえる。接続確認メッセージ（ＮＧ）を受信した第２端末装置１２ｂは中継要求先を探す動作を中止してもよいし、他の中継装置に対して中継要求を送信してもよい。
【００３６】
（ｉｖ）中継処理
中継装置の判定部５０において中継可と判定した場合、つまり中継装置の第１通信部３０が中継許可を送信した場合、中継装置の中継処理部５２は、中継要求装置に対して、第１通信部３０と第２通信部３２との間でデータを中継する。具体的には、中継処理部５２は、第１通信部３０において受信した中継要求装置からのデータを、第２通信部３２から基地局装置１０に送信する。また、中継処理部５２は、第２通信部３２において受信した基地局装置１０からのデータを、第１通信部３０から中継要求装置に送信する。その結果、中継要求装置は、中継装置を介して遠距離無線通信を実行する。
【００３７】
図７は、通信システム１００による中継手順を示すシーケンス図である。第２端末装置１２ｂは、符号化した音声データ（以下、「符号化音声データ」という）をＢｌｕｅｔｏｏｔｈ（登録商標）のＳＰＰ（Ｓｅｒｉａｌ  Ｐｏｒｔ  Ｐｒｏｆｉｌｅ）等により第１端末装置１２ａに送信する（Ｓ２００）。第１端末装置１２ａは、受信した符号化音声データを遠距離無線通信プロトコルの適切な音声通信メッセージに埋め込み、音声通信メッセージを基地局装置１０に送信する（Ｓ２０２）。一方、基地局装置１０は、音声通信メッセージを第１端末装置１２ａに送信する（Ｓ２０４）。第１端末装置１２ａは、音声通信メッセージから符号化音声データを抽出し、符号化音声データを第２端末装置１２ｂに送信する（Ｓ２０６）。ここで、第１端末装置１２ａは、第２通信部３２を自身の通信のために使用しているか、あるいは中継処理のために使用しているかを識別する情報、中継要求装置の端末ＩＤ（識別子）など、中継処理に必要な情報を記憶部３６に記憶する。
【００３８】
なお、中継装置の判定部５０は、１つの中継要求装置からの中継要求を受けつけた場合、接続確認メッセージをすぐに送信せずに、所定の時間だけ待機し、他の中継要求装置からの中継要求の有無を確認してから、接続確認メッセージを送信してもよい。待機時間中に複数の中継要求装置からの中継要求を受けつけた場合、判定部５０は、その中から最も優先度の高い中継要求装置を選択し、選択した中継要求装置に対して接続確認メッセージ（ＯＫ）を送信する。また、判定部５０は、他の中継要求装置に対して接続確認メッセージ（ＮＧ）を送信する。例えば、緊急状態（条件番号１）である第４端末装置１２ｄと、遠距離無線通信部が故障状態（条件番号２）である第５端末装置１２ｅとから中継要求を受けた場合、判定部５０は、より優先度の高い第４端末装置１２ｄに接続確認メッセージ（ＯＫ）を送信する。また、判定部５０は、優先度の低い第５端末装置１２ｅに接続確認メッセージ（ＮＧ）を送信する。
【００３９】
また、中継装置が同時に中継許可する中継要求装置の台数は、必ずしも１台でなくてもよく、複数の中継要求装置に中継を許可してもよい。例えば、中継装置および通信システム１００の処理能力が、３つの中継処理を同時に実行可能である場合、中継装置は最大３つの中継要求装置に中継を許可するようにしてもよい。中継要求の数が最大中継可能数を上回る場合、判定部５０は、優先度が高い順に最大中継可能数までの中継要求装置を選択し、選択した中継要求装置に中継を許可する。
【００４０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００４１】
本実施例によれば、中継要求装置の状態を示す状態情報と、状態情報に含まれる複数の項目ごとに定められた条件とを用いて、中継要求装置に対する中継の可否を判定するので、中継要求装置における中継の必要性に応じて中継を実行できる。また、中継要求装置における中継の必要性に応じて中継が実行されるので、中継の必要性が高い状況において確実に中継を実行できる。また、状態情報は、中継要求装置の緊急状態を示す情報、中継要求装置の遠距離無線通信に係る故障状態を示す情報、中継要求装置を使用するユーザの種別、中継要求装置が検出した中継装置の数、中継要求装置のバッテリ残量、中継要求装置の遠距離無線通信に係るエラーに関する情報、中継要求装置の遠距離無線通信部に係る信号強度に関する情報、のうちの少なくとも２つの項目を含むので、中継装置は中継要求装置の状態を精度よく把握できる。また、複数の項目を用いることにより、中継の可否の判定精度を向上できる。
【００４２】
（実施例１の変形例）
次に、実施例１の変形例を説明する。実施例１の変形例では、中継要求装置の状態だけでなく中継装置の状態も考慮して、中継の可否を判定する。また、中継の優先度に基づいて、接続確認メッセージ（ＯＫ）を送信するタイミングを決定する。さらに、中継の優先度に基づいて、中継処理に使用するリソースの量を決定する。実施例１の変形例に係る通信システム１００、端末装置１２は、図１、図２と同様のタイプである。ここでは、これまでとの差異を中心に説明する。
【００４３】
図８は、判定手順を示すフローチャートである。ステップＳ５００において、中継装置の判定部５０は、自端末（本中継装置）の状態をもとに、優先度に関するしきい値を設定する。自端末の状態としては、バッテリ残量、記憶部３６（メモリ）の残量、制御部３４（ＣＰＵ）の負荷量、第１通信部３０および／または第２通信部３２のデータ通信量、などが使用される。これらを単独で用いてもよいし、２つ以上の要素を組み合せてもよい。優先度に関するしきい値とは、実施例１で述べた条件番号１〜条件番号７の条件に関するしきい値である。本変形例では、優先度の数値が小さいほど優先度が高いという意味になるが、数値の大小と優先度の高低の関係は任意である。また、本変形例においては、状態情報の各項目の値（パラメータ）は、値が小さいほど中継の必要性が高いことを示すものとするが、状態情報の各項目の値の大小と、中継の必要性の高低の関係は任意である。自端末が中継処理を行う余裕が少ない状態であるほど、しきい値を小さな値に設定する。例えば、自端末のバッテリ残量が非常に少ない場合には、条件番号５（中継要求端末のバッテリ残量）のしきい値を「１０％」に設定し、自端末のバッテリ残量が中程度である場合には、しきい値を「４０％」に設定し、自端末のバッテリ残量が多い場合には、しきい値を「７０％」に設定する。また例えば、自端末のメモリ残量が非常に少ない場合には、条件番号５（中継要求端末のバッテリ残量）のしきい値を「２０％」に設定し、自端末のメモリ残量が中程度である場合には、しきい値を「４０％」に設定し、自端末のメモリ残量が多い場合には、しきい値を「６０％」に設定してもよい。また例えば、自端末のバッテリ残量が非常に少ない場合には、条件番号１（緊急状態とその要因）のしきい値を「Ｍａｎ−ｄｏｗｎ検出」を示す値に設定し、自端末のバッテリ残量が多い場合には、しきい値を「検出方法を問わない」を示す値に設定してもよい。つまり、判定部５０は、本中継装置の状態をもとに、中継の可否を判定するための判定条件を調節する。また、本中継端末の状態をもとに全ての項目に関するしきい値を変化させる必要はなく、一部の項目のしきい値は固定であってもよい。
【００４４】
ステップＳ５１０において、中継装置の判定部５０は、中継要求装置から受信した状態情報の各項目（条件番号）と、各項目のしきい値とを比較し、しきい値以下の項目（条件番号）が存在するか否かを判定する。つまり、状態情報の各項目のうち、しきい値で規定される所定条件に合致する項目が存在するか否かを判定する。例えば、条件番号５の値が「３０％」の状態情報を受信した場合、しきい値が「４０％」であれば、条件番号５に関して真と判定するが、しきい値が「１０％」であれば条件番号５に関して偽と判定する。しきい値以下の項目（条件番号）が存在する場合（ステップＳ５１０：Ｙｅｓ）、ステップＳ５２０に進む。しきい値以下の項目が存在しない場合（ステップＳ５１０：Ｎｏ）、ステップＳ５５０に進む。
【００４５】
ステップＳ５２０において、中継装置の判定部５０は、しきい値以下となった条件番号、すなわち中継の優先度に応じて、接続確認メッセージ（ＯＫ）を送信するタイミングを決定する。具体的には、しきい値以下となった条件番号のうち、最も番号の小さいもの、すなわち最も優先度の高いものを特定し、特定した条件番号に応じて、接続確認メッセージ（ＯＫ）を送信するまでの待ち時間を決定する。例えば、しきい値以下となった条件番号のうち最小のものが「条件番号１」（緊急状態）である場合、判定部５０は、待ち時間を「０」として、すぐに接続確認メッセージ（ＯＫ）を送信する。一方、しきい値以下となった条件番号のうち最小のものが「条件番号７」（ＲＳＳＩ）である場合、判定部５０は、待ち時間を０より大きな所定時間に設定し、所定時間だけ待機した後に接続確認メッセージ（ＯＫ）を送信する。つまり、判定部５０は、状態情報に含まれる複数の項目ごとに定められた優先度を用い、条件を満たす項目の優先度が高いほど、中継可を示す情報を中継要求装置に対して送信するまでの期間を短くするように第１通信部３０を制御する。待機時間中に、他の中継要求装置からより優先度の高い中継要求を受信した場合、判定部５０は、より優先度の高い中継要求装置に対して、接続確認メッセージ（ＯＫ）を送信した後、より優先度の低い中継要求装置に対して、接続確認メッセージ（ＮＧ）を送信する。このような処理を行うことにより、優先度の高い中継装置に対して、確実に中継処理を行うことができる。
【００４６】
ステップＳ５３０において、中継装置の判定部５０は、しきい値以下となった条件番号、すなわち中継の優先度に基づいて、中継処理に使用するリソースの量を決定する。例えば、中継要求装置が緊急状態であり、中継の優先度が最も高い場合、判定部５０は、中継処理に相対的に多くのリソースを使用する。一方、中継要求装置のＲＳＳＩが小さい状態であり、中継の優先度が相対的に低い場合、判定部５０は、中継処理に相対的に少しのリソースを使用する。中継処理に使用するリソースとしては、例えば、中継処理を行う時間、中継により転送するデータ容量（バイト数）、中継処理のデータ転送レート、などが挙げられる。すなわち、優先度が高いほど、より多くの中継時間を割り当てる。また、優先度が高いほど、より多くのデータを中継可能とする。また、優先度が高いほど、より速い転送レートで中継を可能とする。つまり、判定部５０は、状態情報に含まれる複数の項目ごとに定められた優先度を用い、条件を満たす項目の優先度が高いほど、中継のためのリソースを増加させる。
【００４７】
ステップＳ５４０において、中継装置の判定部５０は、第１通信部３０を介して、中継要求装置に接続確認メッセージ（ＯＫ）を送信し、処理を終了する。ステップＳ５５０において、中継装置の判定部５０は、第１通信部３０を介して、中継要求装置に接続確認メッセージ（ＮＧ）を送信し、処理を終了する。
【００４８】
本変形例によれば、本中継装置の状態をもとに、中継の可否を判定するための判定条件を調節するので、本中継装置の状態を考慮して中継の可否を判定できる。また、状態情報に含まれる複数の項目ごとに定められた優先度を用い、条件を満たす項目の優先度が高いほど、中継可を示す情報を中継要求装置に対して送信するまでの期間を短くするので、優先度の高い中継要求装置に対して早期に中継を実行できる。また、優先度の低い中継要求装置に対して先に中継を許可したために、少し後から中継を要求した優先度の高い中継要求装置に対して中継処理を実行できない事態を防止することができる。また、状態情報に含まれる複数の項目ごとに定められた優先度を用い、条件を満たす項目の優先度が高いほど、中継のためのリソースを増加させるので、優先度の高い中継要求装置に対して多くのリソースを割り当てることができる。
【００４９】
（実施例２）
次に実施例２を説明する。実施例１においては、中継要求装置に対する条件番号１〜７の条件を個別に判定しているが、本実施例においては、条件番号１〜７の条件をもとに中継の優先度を示す指標（総合得点、ポイント）を算出し、その指標に基づいて、中継の可否を判定する。実施例２に係る通信システム１００、端末装置１２は、図１、図２と同様のタイプである。ここでは、これまでとの差異を中心に説明する。
【００５０】
第１の指標算出方法：
中継装置の判定部５０は、式１のように、条件番号１〜７に同一の基礎点Ｐｂａｓｅを付け、条件が該当する数ｎに比例した指標Ｐｔｏｔａｌを算出する。例えば、条件番号１〜７のうち、３つの条件に該当した場合、式１においてｎ＝３となる。この第１の方法によれば、多くの条件に該当する端末の指標ほど大きな値となり、中継を許可される可能性が高くなる。なお、Ｐｂａｓｅ＝１としてもよい。その場合、指標Ｐｔｏｔａｌは、状態情報の複数の項目のうち、条件を満たす項目の数になる。
【数１】
2020108065.tif 000003
【００５１】
第２の指標算出方法：
中継装置の判定部５０は、式２のように基礎点に対し、さらに条件ごとの係数ａｋを乗算して、条件の重要度により重み付けをして指標Ｐｔｏｔａｌを算出する。ここで、ａｋは、条件番号が小さいほど大きな値となる係数である。例えば、条件番号１に対応するａ１＝２０、条件番号２に対応するａ２＝１０、条件番号３に対応するａ３＝８、・・・等と設定すればよい。またはｍは条件の総数であり、上述の例ではｍ＝７である。この第２の方法によれば、条件ごとに異なる重み係数を設定できるため、中継の必要性をより高い精度で判定することができる。
【数２】
2020108065.tif 000004
ここで、ｋ＝１からｍまでの積算がなされる。なお、Ｐｂａｓｅ＝１としてもよい。その場合、指標Ｐｔｏｔａｌは、状態情報の複数の項目のうち、条件を満たす項目に対応する係数を加算した値になる。
【００５２】
このように中継装置の判定部５０は、第１または第２の方法によって指標を算出し、その指標が所定値以上である場合に、中継を許可し、指標が所定値未満である場合に中継を拒否する。つまり、第１の方法において、判定部５０は、状態情報の複数の項目のうち、条件を満たす項目の数に基づいて指標を算出し、指標が所定値以上である場合に、中継可と判定する。また、第２の方法において、判定部５０は、状態情報の複数の項目のうち、条件を満たす項目に対応する係数を加算した値に基づいて指標を算出し、指標が所定値以上である場合に、中継可と判定する。
【００５３】
また、上述したように、１つの中継要求装置からの中継要求を受信した場合、判定部５０は、所定の時間待機し、他の中継要求装置からの中継要求の有無を確認した後に、接続確認を送信してもよい。複数の中継要求装置からの中継要求を受信した場合、判定部５０は、より中継の必要性が高い中継要求装置からの中継要求を受け入れるようにする必要がある。図９は、判定手順を示すフローチャートである。まずステップＳ６００において、全ての中継要求装置について、指標を算出する。次にステップＳ６０２において、判定部５０は、指標の大きい順に所定数の端末装置１２を選出する。一度に１つの端末装置１２の中継処理しか実行できない場合は、この所定数は「１」であり、３つの端末装置１２に対して中継処理を実行できる場合は、この所定数を「３」にすればよい。次にステップＳ６０４において、判定部５０は、選出した端末装置１２に対して、接続確認メッセージ（ＯＫ）を送信する。また、判定部５０は、中継を要求した端末装置１２の中で選出されなかった端末装置１２に対して、接続確認メッセージ（ＮＧ）を送信する。
【００５４】
実施例１の変形例と同様に、中継装置は、中継の優先度を示す指標に基づいて、接続確認メッセージ（ＯＫ）を送信するタイミングを変えてもよい。例えば、指標が所定値以上である場合には、すぐに接続確認メッセージ（ＯＫ）を送信する。一方、指標が所定値未満である場合には、所定時間だけ待機した後に、接続確認メッセージ（ＯＫ）を送信する。待機時間中に、他の中継要求装置から中継要求を受信し、その指標が相対的に高い場合には、後から中継要求した指標の高い中継要求装置に対して、接続確認メッセージ（ＯＫ）を送信した後、指標が相対的に低い中継要求装置に対して、接続確認メッセージ（ＮＧ）を送信する。さらに、指標が高いほど、待機時間が短くなるように制御してもよい。このような処理を行うことにより、優先度の高い中継装置に対して、確実に中継処理を行うことができる。
【００５５】
実施例１の変形例と同様に、中継装置は、指標に基づいて、中継処理に使用するリソースの量を決定してもよい。例えば、指標が高いほど、中継処理により多くのリソースを使用する。中継処理に使用するリソースとしては、例えば、中継処理を行う時間、中継により転送するデータ容量（バイト数）、中継処理のデータ転送レート、などが挙げられる。すなわち、指標が高いほど、より多くの中継時間を割り当てる。また、指標が高いほど、より多くのデータを中継可能とする。また、指標が高いほど、より速い転送レートで中継を可能とする。
【００５６】
本実施例によれば、状態情報の複数の項目のうち、条件を満たす項目の数に基づいて指標を算出し、指標が所定値以上である場合に、中継可と判定するので、中継の可否の判定精度を向上できる。また、状態情報の複数の項目のうち、条件を満たす項目に対応する係数を加算した値に基づいて指標を算出し、前記指標が所定値以上である場合に、中継可と判定するので、中継の可否の判定精度を向上できる。
【００５７】
実施例１および実施例２では、中継要求装置は第２通信部３２（遠距離通信部）を備えるものとして説明したが、中継要求装置が第２通信部３２を備えていなくてもよい。その場合、遠距離通信を実行する困難さを示す情報を用いることはできないが、それ以外の条件番号１、条件番号３、条件番号４、条件番号５を用いて上述の処理を行うことができる。また、通信システム１００において、第２通信部３２を備える中継要求装置と、第２通信部３２を備えない中継要求装置とが混在していてもよい。その場合、第２通信部３２を備えない中継要求装置については、条件番号２において、遠距離無線通信部が「故障」状態であるとみなして処理を行ってもよい。
【００５８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【符号の説明】
【００５９】
１０  基地局装置、  １２  端末装置、  ３０  第１通信部、  ３２  第２通信部、  ３４  制御部、  ３６  記憶部、  ３８  操作部、  ４０  表示部、  ４２  マイク、  ４４  スピーカ、  ５０  判定部、  ５２  中継処理部、  １００  通信システム。
【図１】
2020108065.tif 000005
【図２】
2020108065.tif 000006
【図３】
2020108065.tif 000007
【図４】
2020108065.tif 000008
【図５】
2020108065.tif 000009
【図６】
2020108065.tif 000010
【図７】
2020108065.tif 000011
【図８】
2020108065.tif 000012
【図９】
2020108065.tif 000013